(57)【要約】  【課題】簡単な構造で、低騒振音化とコスト低減を実現することができる構造にした空気調和機の送風機取付構造を提供する。  【解決手段】回転中心から外側に向かう複数の翼９を放射状に配設したファン部５ａと該ファン部５ａに回転軸１２を直結して取り付けた駆動モータ５ｂを備える送風機５を、通気用の開口部４を有する空気調和機１側のケーシング３に該開口部４を覆って取り付ける構造において、ケーシング３と送風機５のモータ取付前側架台５ｄとの間にケーシング３の開口部外側部分を囲って吸振兼シール用のパッキン１４を配置し、かつ、モータ取付前側架台５ｄとケーシング３の間をボルト１８とナット１９で緊締固定してなる構造にした。【選択図】図１
2009145019.tif 000002
【特許請求の範囲】
【請求項１】
回転中心から外側に向かう複数の翼を放射状に配設したファン部と該ファン部に回転軸を直結して取り付けた駆動モータを備える送風機を、通気用開口部を有する空気調和機側のケーシングに該通気用開口部を覆って取り付ける構造において、
前記ケーシングと前記送風機との間に該ケーシングの通気用開口部外側部分を囲って吸振兼シール用のパッキンを配置し、かつ、該送風機と該ケーシングの間をボルト・ナットで緊締固定してなることを特徴とする空気調和機の送風機取付構造。
【請求項２】
回転中心から外側に向かう複数の翼を放射状に配設したファン部と該ファン部に回転軸を直結して取り付けた駆動モータを備える送風機を、通気用開口部を有する空気調和機側のケーシングの上面壁内面に該通気用開口部を覆って水平に吊り下げ状態で取り付ける構造において、
前記ケーシングと前記送風機の外枠との間に該ケーシングの開口部外側部分を囲って吸振兼シール用のパッキンを設けるとともに、前記送風機の外枠の下面に吸振体を配置し、かつ、該吸振体と前記送風機の外枠と前記ケーシングを貫通して取り付けられたボルト及び該ボルトに螺合されたナットにより該送風機の外枠と該ケーシングの間を緊締固定してなることを特徴とする空気調和機の送風機取付構造。
【請求項３】
回転中心から外側に向かう複数の翼を放射状に配設したファン部と該ファン部に回転軸を直結して取り付けた駆動モータを備える送風機を、通気用の開口部を有する空気調和機側のケーシングの下面壁内面上に、該通気用開口部を覆って据え置き状態で水平に取り付ける構造において、
前記ケーシングと前記送風機の外枠との間に該ケーシングの開口部外側部分を囲って吸振兼シール用のパッキンを設けるとともに、前記送風機の外枠の下面に吸振体を配置し、かつ、前記ケーシングと前記吸振体と前記送風機の外枠を貫通して取り付けられたボルト及び該ボルトに螺合されたナットにより該送風機の外枠と該ケーシングの間を緊締固定してなることを特徴とする空気調和機の送風機取付構造。
【請求項４】
回転中心から外側に向かう複数の翼を放射状に配設したファン部と該ファン部に回転軸を直結して取り付けた駆動モータを備える送風機を、通気用開口部を有する空気調和機側のケーシングの側面壁内面に、該通気用開口部を覆って垂直状体で取り付ける構造において、
該ケーシングの側壁内面側に設けられた前記送風機の下端側を支えるための下端部受け部と、該下端部受け部と前記送風機の下端部との間に配設された吸振体と、前記ケーシングの開口部外側部分を囲って前記ケーシングと前記送風機の外枠との間に配設された吸振兼シール用のパッキンと、該パッキンを挟んで前記送風機外枠と前記ケーシングの間を緊締固定してなるボルト・ナット、とを備えたことを特徴とする空気調和機の送風機取付構造。
【発明の詳細な説明】
【技術分野】
【０００１】
本発明は空気調和機の送風機取付構造に関するものであり、特に、低騒音、低振動化を実現するための空気調和機の送風機取付構造に関するものである。
【背景技術】
【０００２】
一般に、空気調和機は、室の天井や壁に設けられた空気吸い込み口からエアーを吸い込み、送風機によってダクトを通して対象とする室へ供給し、該室の天井や壁に設けられた吹出口から室内空間にエアーを送り込んでいる。また、空気調和機内では、熱交換器のコイルの管群に熱媒を通し、管の外側を流れるエアーを冷やしたり、温めたりして、該エアーの温度や湿度を調節している。
【０００３】
また、空気調和機の送風機は、２枚の回転円板に回転中心から外側に向かう複数の翼を放射状に配設したファン部を駆動モータの回転軸に直結させ、該駆動モータの回転軸と一体に回転させて送風する、例えば、プラグファン等の送風機が多用される傾向にある（例えば、特許文献１参照）。該プラグファン型の送風機では、ファン部に回転軸が直結された駆動モータにより該ファン部を回転させる構成となっているため、騒振音が発生し易い。そして、送風機等から発生した空気調和機内の騒振音は空気の吹き出しと共に室内に伝わり、音楽ホール、病院等の静粛な室内空間で問題となっている。
【０００４】
この問題に対する解決策として、送風ダクトの途中に消音機構を設置し、空気調和機内で発生して送風通路を流れる騒振音等を緩和するようにした構造もある（例えば、特許文献２参照）。
【０００５】
しかし、特許文献２における構成においては、消音機構が占めるスペースが大きく、送風機の設置に制限を受ける他に、送風通路の構造が複雑となるという問題点があった。
【０００６】
そこで、今日では、例えば、図５に示すように、空気調和機内の送風機取付部分で発生する騒振音自体を抑える構造も提案されている。
【０００７】
図５に示す空気調和機５１は、該空気調和機５１のケーシング５２に、該ケーシング５２に設けられている開口部５３を覆って送風機５４を取り付ける固定金具５５を備えている。
【０００８】
前記固定金具５５は、ケーシング５２の開口部５３に対応して設けられた開口部５６を有し、該ケーシング５２の内側裏面にボルト・ナット５７で固定して取り付けられている。前記送風機５４は、回転中心から外側に向かう複数の翼(図示せず)を放射状に配設したファン部５４ａと該ファン部５４ａに回転軸(図示せず)を一体回転可能に直結して取り付けた駆動モータ５４ｂを備えている。
【０００９】
そして、該送風機５４は、固定金具５５の開口部５６を上下に貫通してケーシング５２に水平に配設されるとともに、該送風機５４の取付板５８と固定金具５５の間に吸振体５９，５９…を配設し、かつ、ボルト・ナット６０，６０…で該固定金具５５と該吸振体５９，５９…と該取付板５８の間を緊締することにより、固定金具５５に固定され、該固定金具５５を介してケーシング５２に取り付けられている。また、ケーシング５２と送風機５４の取付板５８の間には、エアー漏れを防ぐために、筒状をした布製のキャンバス６１が取り付けられている。該キャンバス６１の一端部側は固定金具６２とパッキン６３及びボルト・ナット６４によりケーシング５２に固定され、他端部側は固定金具６５とパッキン６６及びボルト・ナット６７により送風機５４の取付板５８に固定されている。
【００１０】
この空気調和機５１の構造では、送風機５４のファン部５４ａが駆動モータ５４ｂの回転軸と共に回転されると、開口部５３を通ってエアーがケーシング５２，送風機５４内に吸い込まれ、該送風機５４内を通って空気調和機５１内の通風路(ダクト)側にエアーが送り出される。また、送風機５４のファン部５４ａと駆動モータ５４ｂの回転により振動が発生すると、該発生した振動は吸振体５９により吸振され、騒振音の発生を抑えることができるようになっている。
【特許文献１】特開平２００５−１４７６２９号公報。
【特許文献２】特許第２５４６１８５号公報。
【発明の開示】
【発明が解決しようとする課題】
【００１１】
しかしながら、図５に示すような従来の構造では、送風機５４をケーシング５２に固定するための固定金具５５及びボルト・ナット６０、該固定金具５５を該ケーシング５２に固定するためのボルト・ナット５７、布製のキャンバス６１を該ケーシング５２と該送風機５４の取付板５８にそれぞれ固定するためのボルト・ナット６４，６７，固定金具６５，パッキン６６等を必要とし、部品点数及び作業工数が多く、構造も複雑となり、コスト高になると言う問題点があった。また、ハウジング５２と取付板５８の間にエアー漏れ防止用として取り付けている布製キャンバス６１が、振動して騒音を発生するという欠陥もあった。
【００１２】
そこで、簡単な構造で、低騒振音化とコスト低減を実現することができる構造にした空気調和機の送風機取付構造を提供するために解決すべき技術的課題が生じてくるのであり、本発明はこの課題を解決することを目的とする。
【課題を解決するための手段】
【００１３】
本発明は上記目的を達成するために提案されたものであり、請求項１記載の発明は、回転中心から外側に向かう複数の翼を放射状に配設したファン部と該ファン部に回転軸を直結して取り付けた駆動モータを備える送風機を、通気用開口部を有する空気調和機側のケーシングに該通気用開口部を覆って取り付ける構造において、前記ケーシングと前記送風機との間に該ケーシングの通気用開口部外側部分を囲って吸振兼シール用のパッキンを配置し、かつ、該送風機と該ケーシングの間をボルト・ナットで緊締固定してなる空気調和機の送風機取付構造を提供する。
【００１４】
この構成によれば、送風機とケーシングの間をボルト・ナットで緊締固定するとき、該ケーシングの通気用開口部外側部分を囲って空気調和機側のケーシングと送風機の間に配設されているパッキンを、該ケーシングと送風機で挟んで同時に緊締固定することができる。そして、ケーシングと送風機の間に緊締固定されたパッキンは、ケーシングと送風機の間をシールし、かつ、送風機側で発生する振動を吸収する。
【００１５】
請求項２記載の発明は、回転中心から外側に向かう複数の翼を放射状に配設したファン部と該ファン部に回転軸を直結して取り付けた駆動モータを備える送風機を、通気用開口部を有する空気調和機側のケーシングの上面壁内面に該通気用開口部を覆って水平に吊り下げ状態で取り付ける構造において、前記ケーシングと前記送風機の外枠との間に該ケーシングの開口部外側部分を囲って吸振兼シール用のパッキンを設けるとともに、前記送風機の外枠の下面に吸振体を配置し、かつ、該吸振体と前記送風機の外枠と前記ケーシングを貫通して取り付けられたボルト及び該ボルトに螺合されたナットにより該送風機の外枠と該ケーシングの間を緊締固定してなる空気調和機の送風機取付構造を提供する。
【００１６】
この構成によれば、送風機を、空気調和機側のケーシングの上面壁内面に該上面壁内面から吊り下げて水平に保持した状態で設置できる。また、吸振体を介して送風機とケーシングの間をボルト・ナットで緊締固定するとき、該ケーシングの通気用開口部外側部分を囲って空気調和機側のケーシングと送風機の外枠の間に配設されているパッキンを、該ケーシングと送風機の外枠とで挟んで同時に緊締固定することができる。そして、ケーシングと送風機の外枠との間に緊締固定されたパッキンは、ケーシングと送風機の外枠の間をシールし、かつ、送風機側で発生する振動を吸収する。また、ケーシングと送風機の外枠の間にボルト・ナットと共に緊締固定された吸振体も、送風機側で発生する振動を吸収する。
【００１７】
請求項３記載の発明は、回転中心から外側に向かう複数の翼を放射状に配設したファン部と該ファン部に回転軸を直結して取り付けた駆動モータを備える送風機を、通気用の開口部を有する空気調和機側のケーシングの下面壁内面上に、該通気用開口部を覆って据え置き状態で水平に取り付ける構造において、前記ケーシングと前記送風機の外枠との間に該ケーシングの開口部外側部分を囲って吸振兼シール用のパッキンを設けるとともに、前記送風機の外枠の下面に吸振体を配置し、かつ、前記ケーシングと前記吸振体と前記送風機の外枠を貫通して取り付けられたボルト及び該ボルトに螺合されたナットにより該送風機の外枠と該ケーシングの間を緊締固定してなる空気調和機の送風機取付構造を提供する。
【００１８】
この構成によれば、空気調和機側のケーシングの下面壁内面上に送風機を据え置き状態で水平に設置できる。また、吸振体を介して送風機とケーシングの間をボルト・ナットで緊締固定するとき、該ケーシングの通気用開口部外側部分を囲って空気調和機側のケーシングと送風機の外枠の間に配設されているパッキンを、該ケーシングと送風機の外枠とで挟んで同時に緊締固定することができる。そして、ケーシングと送風機の外枠との間に緊締固定されたパッキンは、ケーシングと送風機の外枠の間をシールし、かつ、送風機側で発生する振動を吸収する。また、ケーシングと送風機の外枠の間にボルト・ナットと共に緊締固定された吸振体も、送風機側で発生する振動を吸収する。
【００１９】
請求項４記載の発明は、回転中心から外側に向かう複数の翼を放射状に配設したファン部と該ファン部に回転軸を直結して取り付けた駆動モータを備える送風機を、通気用開口部を有する空気調和機側のケーシングの側面壁内面に、該通気用開口部を覆って垂直状体で取り付ける構造において、該ケーシングの側壁内面側に設けられた前記送風機の下端側を支えるための下端部受け部と、該下端部受け部と前記送風機の下端部との間に配設された吸振体と、前記ケーシングの開口部外側部分を囲って前記ケーシングと前記送風機の外枠との間に配設された吸振兼シール用のパッキンと、該パッキンを挟んで前記送風機外枠と前記ケーシングの間を緊締固定してなるボルト・ナット、とを備えた空気調和機の送風機取付構造を提供する。
【００２０】
この構成によれば、空気調和機側のケーシングの側壁内面に送風機を垂直に立てて配設し、該送風機の下端部側を吸振体を介して下端部受け部で受けさせることにより、該送風機を垂直状態でケーシングに設置できる。また、送風機とケーシングの間をボルト・ナットで緊締固定するとき、該ケーシングの通気用開口部外側部分を囲って空気調和機側のケーシングと送風機の外枠の間に配設されているパッキンを、該ケーシングと送風機の外枠とで挟んで同時に緊締固定することができる。そして、ケーシングと送風機の外枠との間に緊締固定されたパッキンは、ケーシングと送風機の外枠の間をエアーシールし、かつ、送風機側で発生する振動を吸収する。また、送風機の下端部とケーシングの下端部受け部の間に介装された吸振体も、送風機側で発生する振動をそれぞれ吸収する。
【発明の効果】
【００２１】
請求項１記載の発明は、空気調和機側のケーシングと送風機の間に取り付けるパッキンは、該送風機と該ケーシングの間をボルト・ナットで緊締固定するときに、該ケーシングと該送風機の間に挟まれて同時に緊締固定される構造になっているので、緊締部材の数等、部品点数を減らすことができる。これにより、構造の簡略化が図れるとともに、部品点数並びに作業工数を減らしてコスト下げることができる。また、送風機とケーシングの間のエアー漏れもパッキンにより確実に防ぐことができる。さらに、送風機側で発生する振動をケーシングと送風機の外枠との間に緊締固定されたパッキンにより吸収してケーシング側に伝わるのを防ぐことができるので、低騒振音の空気調和機を得ることができる。
【００２２】
請求項２記載の発明は、空気調和機側のケーシングの上面壁内面に送風機を、該上面壁内面から吊り下げて水平に保持した状態で設置するタイプの空気調和機の送風機取付構造が得られる。また、空気調和機側のケーシングと送風機の外枠の間に取り付けるパッキンは、送風機とケーシングの間をボルト・ナットで緊締固定するときに、該ケーシングと該送風機の間に挟まれて同時に緊締固定される構造になっているので、緊締部材の数等、部品点数を減らすことができる。これにより、構造の簡略化が図れるとともに、部品点数並びに作業工数を減らしてコスト下げることができる。さらに、送風機とケーシングの間のエアー漏れもパッキンにより確実に防ぐことができる。また、送風機側で発生する振動をケーシングと送風機の外枠との間に緊締固定されたパッキンにより吸収してケーシング側に伝わるのを防ぐことができるので、低騒振音型の空気調和機を得ることができる。
【００２３】
請求項３記載の発明は、空気調和機側のケーシングの下面壁内面上に送風機を据え置き状態で水平に設置するタイプの空気調和機の送風機取付構造が得られる。また、空気調和機側のケーシングと送風機の外枠の間に取り付けるパッキンは、送風機とケーシングの間をボルト・ナットで緊締固定するときに、該ケーシングと該送風機の間に挟まれて同時に緊締固定される構造になっているので、緊締部材の数等、部品点数を減らすことができる。これにより、構造の簡略化が図れるとともに、部品点数並びに作業工数を減らしてコスト下げることができる。さらに、送風機とケーシングの間のエアー漏れもパッキンにより確実に防ぐことができる。また、送風機側で発生する振動をケーシングと送風機の外枠との間に緊締固定されたパッキンにより吸収して、ケーシング側に伝わるのを防ぐことができるので、低騒振音の空気調和機を得ることができる。
【００２４】
請求項４記載の発明は、空気調和機側のケーシングの側壁内面に送風機を垂直に立たせて配置し、送風機の下端部側を吸振体を介して下端部受け部で受けさせることにより、該送風機を垂直状態でケーシングに設置するタイプの空気調和機の送風機取付構造が得られる。また、空気調和機側のケーシングと送風機の外枠の間に取り付けるパッキンは、送風機とケーシングの間をボルト・ナットで緊締固定するときに、該ケーシングと送風機の外枠の間に挟まれて同時に緊締固定される構造になっているので、緊締部材の数等、部品点数を減らすことができる。これにより、構造の簡略化が図れるとともに、部品点数並びに作業工数を減らしてコスト下げることができる。さらに、送風機とケーシングの間のエアー漏れもパッキンにより確実に防ぐことができる。また、送風機側で発生する振動をケーシングと送風機の外枠との間に緊締固定されたパッキン、及び、送風機の下端部とケーシングの下端部受け部の間に介装された吸振体によりそれぞれ吸収して、ケーシング側に伝わるのを防ぐことができるので、低騒振音の空気調和機を得ることができる。
【発明を実施するための最良の形態】
【００２５】
簡単な構造で、低騒振音化とコスト低減を実現することができる構造にした空気調和機の送風機取付構造を提供するという目的を達成するために、回転中心から外側に向かう複数の翼を放射状に配設したファン部と該ファン部に回転軸を直結して取り付けた駆動モータを備える送風機を、通気用開口部を有する空気調和機側のケーシングに該通気用開口部を覆って取り付ける構造において、前記ケーシングと前記送風機との間に該ケーシングの通気用開口部外側部分を囲って吸振兼シール用のパッキンを配置し、かつ、該送風機と該ケーシングの間をボルト・ナットで緊締固定してなる構成にしたことにより実現した。
【実施例】
【００２６】
以下、本発明の空気調和機の送風機取付構造について、好適な実施例をあげて説明する。
【００２７】
図１は、本発明の第１の実施の形態に係る送風機取付構造を適用した空気調和機の要部の断面図である。図１において、空気調和機１は、通風路(ダクト)２を構成しているケーシング３の上面壁３ａに通気用の開口部４を設けている。また、該ケーシング３の上面壁３ａの内面に、該開口部４に対応させて送風機５を複数のボルト６，６…と該ボルト６，６…に螺合された複数のナット７，７…で取り付け、該送風機５を該上面壁３ａの内面から吊り下げ状態に保持した構造になっている。
【００２８】
前記送風機５は、プラグファンで、ファン部５ａと、駆動モータ５ｂと、該駆動モータ部５ｂを支持しているモータ取付後側架台５ｃ及びモータ取付前側架台５ｄを備えている。
【００２９】
ファン部５ａは、図２にも示しているように、互いに対向配置された円形外枠板８ａとドーナツ状円形外枠板８ｂを有し、該２枚の外枠板８ａ，８ｂの間に複数の翼９，９…を回転中心から外側に向かうようにして放射状に設けている。
【００３０】
前記駆動モータ部５ｂは、円形外枠板８ａの回転中心に回転軸１２が直結固定されており、該駆動モータ部５ｂの回転軸１２の回転でファン部５ａも一体に回転される構造になっている。該モータ部５ｂはファン部５ａと共に、モータ取付後側架台５ｃを介してモータ取付前側架台５ｄに固定して取り付けられている。
【００３１】
前記モータ取付後側架台５ｃは、ファン部５ａで生起されるエアーの流れを妨げないようにパイプ状の枠体で大きな隙間を有して形成されており、一端(後端)側で駆動モータ部５ｂを保持し、他端(前端)側は前記モータ取付前側架台５ｄの裏面に固定して取り付けられている。
【００３２】
前記モータ取付前側架台５ｄは、板状の部材であり、中央にはケーシング３の開口部４に対応して開口部１０が設けられている。また、該モータ取付前側架台５ｄの裏面には、開口部１０を通ったエアーをファン部５ａ内に導く管状のダクト１１が取り付けられている。
【００３３】
このように構成された送風機５は、該ケーシング３の開口部４に送風機５の外枠となるモータ取付前側架台５ｄの開口部１０を対応させ、かつ、該モータ取付前側架台５ｄが該ケーシング３の開口部４の全体を覆うようにして、上面壁３ａの内面(下面)に該モータ取付前側架台５ｄの前面を面対向配置させ、その後、該モータ取付前側架台５ｄと該上面壁３ａとの間を複数の前記ボルト６，６…と該ボルト６，６…に各々螺合される前記ナット７，７…とで緊締することにより、ケーシング３の上面壁３ａと平行、すなわちケーシング３に対して吊り下げ状態で水平に取り付けられる。
【００３４】
また、該モータ取付前側架台５ｄと該上面壁３ａとの間をボルト６，６…とナット７，７…で緊締する際、該モータ取付前側架台５ｄと該上面壁３ａとの間には、ゴム等でリング状に形成されたクッション性を有する吸振兼シール用のパッキン１４が配設され、該ナット７，７…と該モータ取付前側架台５ｄとの間には、ゴム等で管状に形成されたクッション性を有する吸振材１５が、ボルト６，６…に装着されて配設される。なお、吸振兼シール用のパッキン１４は、図１に示すように、複数のボルト６，６…の外側を囲むようにして、これら複数のボルト６，６…の外側に配置されている。
【００３５】
したがって、この第１の実施の形態の構造では、送風機５をケージグ３の上面壁３ａ内面(下面)に取り付けるとき、モータ取付前側架台５ｄと該上面壁３ａの間に吸振兼シール用のパッキン１４を配置し、その後からボルト６，６…を上面壁３ａの取付孔(図示せず)、パッキン１４内、モータ取付前側架台５ｄの取付孔(図示せず)を順に貫通させ、かつ、モータ取付前側架台５ｄの裏面側で各ボルト６，６…に吸振材１５を装着し、その後、ナット７を螺合させて締め付けると、該ボルト６，６…とナット７，７…の締め付けだけで、モータ取付前側架台５ｄと該上面壁３ａの間の緊締と、モータ取付前側架台５ｄと該上面壁３ａの間に配置されている吸振兼シール用のパッキン１４の緊締、及び、ナット７，７…とモータ取付前側架台５ｄの間に配置されている吸振材１５，１５…の緊締が同時に行える。
【００３６】
そして、ケーシング３と送風機５の外枠であるモータ取付前側架台５ｄとの間に緊締配置されたパッキン１４は、ケーシング３とモータ取付前側架台５ｄの間からエアーが漏れないようにシールするとともに、送風機５側で発生する振動を吸収して低騒振音化が図られる。また、吸振材１５も、送風機５側で発生する振動を吸収して低騒振音を助成することができる。
【００３７】
また、この空気調和機１では、駆動モータ５ｂの回転軸１２の回転と共にファン部５ａが回転されると、ケーシング３の開口部４、モータ取付前側架台５ｄの開口部１０，管状のダクト１１を通ってファン部５ａ内にエアーが吸い込まれ、このエアーがファン部５ａの回転で通風路(ダクト)２内に吹き出される。
【００３８】
図３は、本発明の第２の実施の形態に係る送風機取付構造を適用した空気調和機の要部構造断面図である。図３に示す第２の実施の形態は、空気調和機１の通風路(ダクト)２を構成しているケーシング３の下面壁３ｂの内面上にボルト６とナット７で送風機５を取り付け、該送風機５を該下面壁３ｂの内面上に据え置き状態で水平に設置してなる構造にしたものであり、他の構成は図１及び図２と同一であるから、同一の構成部分は同一符号を付して重複説明を省略する。
【００３９】
そして、図３に示す第２の実施の形態における送風機５は、該ケーシング３の開口部４に送風機５の外枠となるモータ取付前側架台５ｄの開口部１０を対応させ、かつ、該モータ取付前側架台５ｄが該ケーシング３の開口部４の全体を覆うようにして、下面壁３ｂの内面(上面)に該モータ取付前側架台５ｄの前面を面対向配置させ、その後、該モータ取付前側架台５ｄと該下面壁３ｂとの間を複数の前記ボルト６，６…と該ボルト６，６…に各々螺合される前記ナット７，７…とで緊締することにより、下面壁３ｂと平行、すなわちケーシング３に対して水平に据え置き状態で取り付けられる。
【００４０】
また、該モータ取付前側架台５ｄと該下面壁３ｂとの間をボルト６，６…とナット７，７…で緊締する際、該モータ取付前側架台５ｄと該下面壁３ｂとの間には、パッキン１４が配設されるとともに、ゴム等で管状に形成されたクッシヨン性を有する吸振材１６がボルト６，６…に装着されて配設される。なお、吸振兼シール用のパッキン１４は、図３に示すように、複数のボルト６，６…の外側を囲むようにして、これら複数のボルト６，６…の外側に配置されている。
【００４１】
したがって、この第２の実施の形態の構造では、送風機５をケージグ３の下面壁３ｂ内面(上面)に取り付けるとき、モータ取付前側架台５ｄと該下面壁３ｂの間に吸振兼シール用のパッキン１４と吸振材１６，１６…をそれぞれ所定の位置に配置し、その後からボルト６，６…を下面壁３ｂの取付孔(図示せず)、吸振材１６の中心孔１６ａ、及び、モータ取付前側架台５ｄの取付孔(図示せず)を順に貫通させ、かつ、モータ取付前側架台５ｄの裏面側で各ボルト６，６…にナット７，７…をそれぞれ螺合させて締め付けると、該ボルト６，６…とナット７，７…の締め付けだけで、モータ取付前側架台５ｄと該下面壁３ｂの間の緊締と、モータ取付前側架台５ｄと該下面壁３ｂの間の吸振兼シール用のパッキン１４の緊締、及び、吸振材１６，１６…の緊締が同時に行える。
【００４２】
そして、ケーシング３と送風機５の外枠であるモータ取付前側架台５ｄとの間に緊締配置されたパッキン１４は、ケーシング３とモータ取付前側架台５ｄの間からエアーが漏れないようにシールするとともに、送風機５側で発生する振動を吸収して低騒振音化が図られる。また、吸振材１６も、送風機５側で発生する振動を吸収して低騒振音を助成することができる。
【００４３】
また、この空気調和機１では、第１の実施例の構造と同様に、駆動モータ５ｂの回転軸１２の回転によりファン部５ａが回転されると、ケーシング３の開口部４、モータ取付前側架台５ｄの開口部１０，管状のダクト１１を通ってファン部５ａ内にエアーが吸い込まれ、このエアーがファン部５ａの回転で通風路(ダクト)２内に吹き出される。
【００４４】
図４は、本発明の第３の実施の形態に係る送風機取付構造を適用した空気調和機の要部構造断面図である。図４に示す第３の実施の形態は、空気調和機１の通風路(ダクト)２を構成しているケーシング３の側面壁３ｃの内面に送風機５を垂直に立たせて配置し、かつ、ボルト６とナット７で取り付け、該送風機５を側面壁３ｃに垂直に保持してなる構造にしたものであり、他の構成は図１及び図２と同一であるから、同一の構成部分は同一符号を付して重複説明を省略する。
【００４５】
図４に示す第２の実施の形態における空気調和機１は、送風機５の下端部、すなわちモータ取付前側架台５ｄの下端部５ｅを下側から受けるためのＬ字状をした下端部受け部材１７が、ケーシング３の側面壁３ｃの下部にボルト１８とナット１９で固定されて、該側面壁３ｃから通風路２内に突出して設けられている。
【００４６】
前記下端部受け部材１７上には、弾性ゴムあるいはスプリング等で形成されたクッション性を有する吸振材２０が配設されている。そして、下端部受け部材１７上に吸振材２０を介して送風機５が垂直に配置されると、ケーシング３の開口部４にモータ取付前側架台５ｄの開口部１０が対応されるとともに、該モータ取付前側架台５ｄが該ケーシング３の開口部４の全体を覆うようにしてケーシング３の側面壁３ｃと面対向配置される。その後、モータ取付前側架台５ｄと該上面壁３ａの間を、複数の前記ボルト６，６…と該ボルト６，６…に各々螺合される前記ナット７，７…で緊締すると、送風機５をケーシング３の側面壁３ｃと平行、すなわち垂直に取り付けることができる構造になっている。
【００４７】
また、該モータ取付前側架台５ｄと該側面壁３ｃとの間をボルト６，６…とナット７，７…で緊締する際、該モータ取付前側架台５ｄと該側面壁３ａとの間には、パッキン１４が配設され、該ナット７，７…と該モータ取付前側架台５ｄとの間には、ゴム等で管状に形成されたクッシヨン性を有する吸振材２１がボルト６，６…に装着されて配設される。なお、吸振兼シール用のパッキン１４は、図４に示すように、複数のボルト６，６…の外側を囲むようにして、これら複数のボルト６，６…の外側に配置されている。
【００４８】
したがって、この第３の実施の形態の構造では、送風機５をケージグ３の側面壁３ａに取り付けるとき、まず、下端部受け部材１７上に吸振材２０を介して、送風機５を垂直に立たせて配置する。次いで、モータ取付前側架台５ｄと該側面壁３ａの間に吸振兼シール用のパッキン１４を配置し、その後からボルト６，６…を上面壁３ａの取付孔(図示せず)、パッキン１４内、モータ取付前側架台５ｄの取付孔(図示せず)を順に貫通させ、モータ取付前側架台５ｄの裏面側で各ボルト６，６…に吸振材２１をそれぞれ装着するとともに、ナット７を各々螺合させて締め付けると、該ボルト６，６…とナット７，７…の締め付けだけで、モータ取付前側架台５ｄと該側面壁３ｃの間の緊締と、モータ取付前側架台５ｄと該側面壁３ｃの間のパッキン１４の緊締、及び、ナット７，７…とモータ取付前側架台５ｄの間の吸振材２１，２１…の緊締が同時に行える。
【００４９】
そして、ケーシング３と送風機５の外枠であるモータ取付前側架台５ｄとの間に緊締配置されたパッキン１４は、ケーシング３とモータ取付前側架台５ｄの間からエアーが漏れないようにシールするとともに、送風機５側で発生する振動を吸収して低騒振音化が図られる。また、吸振材２０及び吸振材２１も、送風機５側で発生する振動を吸収して低騒振音を助成することができる。
【００５０】
また、この空気調和機１では、駆動モータ５ｂの回転軸１２の回転によりファン部５ａが回転されると、ケーシング３の開口部４、モータ取付前側架台５ｄの開口部１０，管状のダクト１１を通ってファン部５ａ内にエアーが吸い込まれ、このエアーがファン部５ａの回転で通風路(ダクト)２内に吹き出される。
【００５１】
なお、本発明は、本発明の精神を逸脱しない限り種々の改変を為すことができ、そして、本発明が該改変されたものに及ぶことは当然である。
【図面の簡単な説明】
【００５２】
【図１】本発明の第１の実施の形態に係る送風機取付構造を適用した空気調和機の要部の断面図。
【図２】同上送風機におけるファン部の要部分解斜視図。
【図３】本発明の第２の実施の形態に係る送風機取付構造を適用した空気調和機の要部の断面図。
【図４】本発明の第３の実施の形態に係る送風機取付構造を適用した空気調和機の要部の断面図。
【図５】従来の送風機取付構造を適用した空気調和機の要部の断面解説図。
【符号の説明】
【００５３】
１        空気調和機
２        通風路
３        ケーシング
３ａ      上面壁
３ｂ      下面壁
３ｃ      側面壁
４        開口部
５        送風機
５ａ      ファン部
５ｂ      駆動モータ
５ｃ      モータ取付後側架台
５ｄ      モータ取付前側架台
５ｅ      下端部
６        ボルト
７        ナット
９        翼
１０      開口部
１１      管状ダクト
１２      回転軸
１４      吸振兼シール用のパッキン
１５      吸振材
１６      吸振材
１７      下端部受け部材
１８      ボルト
１９      ナット
２０      吸振材
２１      吸振材
【図１】
2009145019.tif 000003
【図２】
2009145019.tif 000004
【図３】
2009145019.tif 000005
【図４】
2009145019.tif 000006
【図５】
2009145019.tif 000007